【事件の表示】
　上記当事者間の登録第５４２７６９５号商標の登録取消審判事件について，次のとおり審決する。
【結　論】
　本件審判の請求は，成り立たない。
　審判費用は，請求人の負担とする。
【理　由】
第１　本件商標
　本件登録第５４２７６９５号商標（以下「本件商標」という。）は，別掲のとおり「ＬｕＮＡ　ＳＥＡ」の欧文字を横書きしてなり，平成２２年６月１６日に登録出願，第３類「せっけん類，歯磨き，化粧品，香料類」のほか第９類，第１４類ないし第１６類，第１８類，第２０類，第２１類，第２４類ないし第２６類，第２８類，第３２類，第３３類，第４１類及び第４３類に属する商標登録原簿記載のとおりの商品及び役務を指定商品及び指定役務として，平成２３年７月２２日に設定登録されたものである。
　そして，本件審判の請求の登録日は，平成２８年４月４日である。
第２　請求人の主張
　請求人は，本件商標の指定商品及び指定役務中，第３類「せっけん類，歯磨き，化粧品，香料類」についての登録を取り消す，審判費用は被請求人の負担とする，との審決を求め，その理由を以下のように述べた。
１　請求の理由
　本件商標は，その指定商品及び指定役務中，第３類「せっけん類，歯磨き，化粧品，香料類」について，継続して３年以上日本国内において，商標権者，専用使用権者又は通常使用権者のいずれも使用した事実が存しないから，商標法第５０条第１項の規定により，取り消されるべきものである。
２　答弁に対する弁駁
（１）指定商品「香料類」に関する本件商標の使用について
　被請求人は，ロックバンド「ＬＵＮＡ　ＳＥＡ」のライブツアーパンフレット（乙４の１），Ｔｗｉｔｔｅｒ投稿（乙４の４，６，７），商品写真（乙４の５）などの証拠に基づき，「ブラックリードディフューザー」の商品名で本件商標を指定商品「香料類」に使用している旨を主張する。
　しかしながら，上記の証拠において，「ＬＵＮＡ　ＳＥＡ」の表示は，著名なロックバンド「ＬＵＮＡ　ＳＥＡ」の２５周年記念ライブツアーであること，ないしは同ツアーに関連して販売されるオフィシャルグッズであることを示すものであり，個々の商品の識別標識や出所表示標識となることを意図して用いられていない。また，「ブラックリードディフューザー」その他の商品の需要者は，ロックバンド「ＬＵＮＡ　ＳＥＡ」のライブツアーに参加し，あるいはこれに興味を持つファン層にほぼ限定されると考えられることからも，需要者にとっても「ＬＵＮＡ　ＳＥＡ」の表示が商品の識別標識や出所表示標識として認識されることはなく，むしろ，「ブラックリードディフューザー」が当該商品の商標として機能しているものと認められる。したがって，本件商標を，商品「ブラックリードディフューザー」について商標として使用しているとする被請求人の主張は失当であり，被請求人の主張及び証拠からは，本件商標が指定商品「香料類」に使用されていた事実は認められない。
（２）指定商品「化粧品」に関する本件商標の使用について
　被請求人は，Ｔｗｉｔｔｅｒ投稿（乙５の１〜６）及び商品写真（乙５の７）などの証拠に基づき，本件商標を指定商品「化粧品」に含まれる「バスソルト」に使用している旨を主張する。
　しかしながら，上記（１）と同様に，これらの証拠において「ＬＵＮＡ　ＳＥＡ」の表示は，著名なロックバンド「ＬＵＮＡ　ＳＥＡ」の２５周年記念ライブツアーであること，ないしは同ツアーに関連して販売されるオフィシャルグッズであることを示すものであり，個々の商品の識別標識や出所表示標識となることを意図して用いられていないから，需要者にとっても「ＬＵＮＡ　ＳＥＡ」の表示が商品の識別標識や出所表示標識として認識されることはない。したがって，本件商標を，商品「バスソルト」について商標として使用しているとする被請求人の主張は失当であり，被請求人の主張及び証拠からは，本件商標が指定商品「化粧品」に使用されていた事実は認められない。
３　意見書の内容
　下記第３の２の回答書に対して，請求人は以下のとおり述べている。
　回答書において被請求人は，Ｔｗｉｔｔｅｒアカウント「ＬＵＮＡ　ＳＥＡ　ＧＯＯＤＳ＠ＬＵＮＡＳＥＡ＿ＧＯＯＤＳ」のアカウントの名義が本件商標権者であること，そのツイート等は，トレジャーズ株式会社（以下「トレジャーズ」という。）の管理の下に株式会社アットフィールド（以下「アットフィールド」という。）が行っていることを主張している。しかしながら，被請求人は上記主張について何らの証拠も示しておらず，当該Ｔｗｉｔｔｅｒアカウントにおいても上記主張を裏付ける要素は見当たらない。したがって，上記主張は根拠を欠くものであり，認められない。
第３　被請求人の答弁
　被請求人は，結論同旨の審決を求めると答弁し，その理由を要旨以下のように述べ，証拠方法として乙第１号証ないし乙第１２号証（枝番号を含む。）を提出した。
１　答弁の理由
　本件商標の商標権者である株式会社ＬＵＮＡ　ＳＥＡは，ロックバンド「ＬＵＮＡ　ＳＥＡ」の全構成員が取締役を務める会社である（乙２の２及び３）。
　商標権者は，以下のとおり，本件審判の請求の登録前３年以内に日本国内において，本件請求に係る指定商品「せっけん類，歯磨き，化粧品，香料類」のうち「化粧品，香料類」について本件商標を使用している。
（１）香料類について
　商標権者が，本件商標を本件請求に係る指定商品「香料類」に含まれる「フレグランスウォーター及びスティック（商品名：ブラックリードディフューザー）」について使用していることは，ロックバンド「ＬＵＮＡ　ＳＥＡ」のライブツアーのパンフレット（乙４の１）から明らかである。
　乙第４号証の１は，平成２６年６月７日から平成２７年３月１４日にかけて全国１９会場で開催された上記ロックバンド「ＬＵＮＡ　ＳＥＡ」の「２５ｔｈ　ＡＮＮＩＶＥＲＳＡＲＹ　ＬＩＶＥ　ＴＯＵＲ　ＴＨＥ　ＬＵＮＡＴＩＣ」の各会場（乙４の２及び３を参照）で配布されたものである。乙第４号証の１の後ろから３頁目には，「２５ｔｈ　ＡＮＮＩＶＥＲＳＡＲＹ　ＬＩＶＥ　ＴＯＵＲ　ＴＨＥ　ＬＵＮＡＴＩＣ　Ｏｆｆｉｃｉａｌ　Ｇｏｏｄｓ　Ｉｔｅｍｓ」として，「ブラックリードディフューザー　￥４，０００」と記載されており，「ブラックリードディフューザー」が販売されていた事実が客観的に示されている。
　ブラックリードディフューザーとは，「透明のフレグランスウォーターにスティックを入れると漆黒に変わる」商品であり，フレグランスウォーター及びスティックで構成されている（乙４の４）。また，商標権者の公式Ｔｗｉｔｔｅｒアカウントにおいて，「２５ｔｈ　ＡＮＮＩＶＥＲＳＡＲＹ　ＬＩＶＥ　ＴＯＵＲ　ＯＦＦＩＣＩＡＬ　ＧＯＯＤＳ　ＬＩＳＴ」の中に，本件商標を付した「ブラックリードディフューザー」の写真が掲載されており，当該商品が販売された事実を客観的に示している（乙４の６，７）。
（２）化粧品について
　商標権者は，本件請求に係る指定商品「化粧品」に含まれる「バスソルト」に本件商標を付して，上記（１）のライブツアー後半の各会場で販売している。
　このことは，上記（１）の公式Ｔｗｉｔｔｅｒアカウントにおいて平成２７年１月１６日から同年２月２８日にかけて投稿された記載内容からも明らかである（乙５の１〜６）。すなわち，乙第５号証の１〜６は，本件商標を付した「バスソルト」が各会場限定の日替りで販売されていた事実を客観的に示している。なお，本件商標を付した「バスソルト」の写真，及び販売元等が記載されている「バスソルト」の底面の写真を示す（乙５の７，８）。
２　回答書及び上申書の内容
　当審においては，平成２８年９月２８日をもって審尋を行ったところ，被請求人は，平成２８年１０月１８日付け回答書，同年１０月３１日付け及び同年１１月３０日付け上申書において，以下のとおり回答している。
　商標権者は，本件商標を付した商品の企画・製造・販売をトレジャーズに委託し，また，トレジャーズが更に第三者に委託することを許可している。この商標権者からの許可に従い，トレジャーズはアットフィールドに，本件商標を付した商品の「ＬＵＮＡ　ＳＥＡ　ＯＦＦＩＣＩＡＬ　ＷＥＢ　ＳＨＯＰ」及び「ＬＵＮＡ　ＳＥＡ　Ｏｆｆｉｃｉａｌ　Ｇｏｏｄｓ　事務局」と称する名称での販売・問合せ・注文対応等を委託している。そして，商標権者は，トレジャーズがアットフィールドへ販売等を委託していることを承諾している（乙８，乙１０）。
　上記のことからすれば，トレジャーズは本件商標の通常使用権者ということになり，さらに，トレジャーズは再使用権の許諾権限に基づいてアットフィールドに使用許諾しているとみることができる。加えて，商標権者はアットフィールドによる使用も承諾している。したがって，トレジャーズのみならず，アットフィールドの使用も，通常使用権者による本件商標の使用ということができる。
　また，乙第４号証の１及び乙第５号証の８に記載された電話番号は同一であり，乙第１１号証及び乙第１２号証として添付したように，この電話番号の利用料金はアットフィールドが支払っている。このことは，アットフィールドが，「ＬＵＮＡ　ＳＥＡ　ＯＦＦＩＣＩＡＬ　ＷＥＢ　ＳＨＯＰ」及び「ＬＵＮＡ　ＳＥＡ　Ｏｆｆｉｃｉａｌ　Ｇｏｏｄｓ　事務局」に対する電話へ対応していた証拠であり，上記名称において対象商品の販売等を行っていることを示したものである。
第４　当審の判断
１　被請求人の主張及びその提出に係る証拠によれば，以下のとおりである。
（１）乙第２号証の３は，本件商標出願に係る平成２３年３月２２日付けの手続補足書の写しであるところ，このうち「履歴事項全部証明書」（平成２２年６月９日付け）によれば，商標権者は「音楽等のイベントの企画・制作・興行，キャラクターグッズの企画，日用品雑貨の販売，広告宣伝物の企画制作及び会員制雑誌の制作及び販売」等を事業目的とする法人であり，また，「承諾書」（平成２３年２月２８日付け）によれば，商標権者は本件商標の管理を行うことについてロックバンド「ＬＵＮＡ　ＳＥＡ」の全構成員の承諾を受けており，かつ，全構成員が商標権者の取締役を務めていることが認められる。
（２）乙第４号証の１は，ロックバンド「ＬＵＮＡ　ＳＥＡ」の，「２５ｔｈ　ＡＮＮＩＶＥＲＳＡＲＹ　ＬＩＶＥ　ＴＯＵＲ　ＴＨＥ　ＬＵＮＡＴＩＣ」と称する２５周年記念ライブツアーのパンフレットと認められる。そして，当該パンフレットの後ろから３頁目は，オフィシャルグッズの宣伝広告とみられるところ，頁の最上段には本件商標と同様の態様からなる「ＬｕＮＡ　ＳＥＡ」の欧文字（以下「使用商標」という。）が顕著に表示され，また，中段には「Ｏｆｆｉｃｉａｌ　Ｇｏｏｄｓ　Ｉｔｅｍｓ」の見出しの下，各種オフィシャルグッズが掲載されており，「フェイスタオル」や「パスケース」等の商品と並んで「ブラックリードディフューザー　￥４，０００」の記載があり，さらに下段には，「グッズに関するお問い合わせ」先として，「ＬＵＮＡ　ＳＥＡ　Ｏｆｆｉｃｉａｌ　Ｇｏｏｄｓ　事務局」のメールアドレス及び電話番号が記載されている。
（３）乙第４号証の２及び３は，ロックバンド「ＬＵＮＡ　ＳＥＡ」のファンクラブ会報であり，当該会報によれば，上記２５周年記念ライブツアーは２０１４年６月７日から２０１５年３月１４日にかけて，東京，大阪など１９会場で開催されたことが確認できるところ，乙第４号証の１のライブツアーパンフレットの後ろから９頁目（ギターの広告）において，「本広告掲載の製品は，２０１４年１２月現在のものです。」との記載があることを併せみれば，当該パンフレットは，２０１４年１２月頃に頒布されたものとみることができる。
（４）乙第１２号証は，アットフィールド宛ての平成２６年６月請求分及び平成２７年３月請求分の電話料金請求書であるところ，当該請求書に記載された電話番号は，乙第４号証の１に記載された「ＬＵＮＡ　ＳＥＡ　Ｏｆｆｉｃｉａｌ　Ｇｏｏｄｓ　事務局」の電話番号と一致するものである。
２　上記１で認定した事実を総合すると，次のことがいえる。
（１）本件商標について
　上記１（２）及び（３）によれば，「ＬＵＮＡ　ＳＥＡ　Ｏｆｆｉｃｉａｌ　Ｇｏｏｄｓ　事務局」は，本件審判の請求の登録の前３年以内（以下「要証期間」という。）である平成２６年１２月頃に頒布されたロックバンド「ＬＵＮＡ　ＳＥＡ」の２５周年記念ライブツアーのパンフレットにおいて，使用商標を表示して，商品「ブラックリードディフューザー」を含む各種オフィシャルグッズの販売に関する広告を行ったことが認められる。
　また，商標権者は音楽のイベントの企画・興行，日用品雑貨の販売等を業務とする者であり，本件商標の管理についてロックバンド「ＬＵＮＡ　ＳＥＡ」の全構成員が商標権者の取締役を務めていることから（上記１（１）），上記パンフレットは商標権者により頒布されたとみて差し支えないものである。
　してみると，商標権者は，「ＬＵＮＡ　ＳＥＡ　Ｏｆｆｉｃｉａｌ　Ｇｏｏｄｓ　事務局」が本件商標を表示して上記商品の広告を行うことを黙示的に許可していたものとみることができる。
　さらに，少なくとも，平成２６年６月頃からアットフィールドが使用していたものと認められる電話番号（乙１２）が，上記パンフレット中の「ＬＵＮＡ　ＳＥＡ　Ｏｆｆｉｃｉａｌ　Ｇｏｏｄｓ　事務局」の電話番号として表示されていることからすれば，「ＬＵＮＡ　ＳＥＡ　Ｏｆｆｉｃｉａｌ　Ｇｏｏｄｓ　事務局」は，アットフィールドが運営を行っているものということができる。
　そうとすると，アットフィールドは，本件商標に係る通常使用権者であると認めることができる。
　また，使用商標は，本件商標と同一の商標であり，商品「ブラックリードディフューザー」は，「スティックを挿して香りを拡散させる芳香剤」であるから，本件審判の請求に係る指定商品中「香料類」の範疇に含まれる商品である。
（２）小括
　上記（１）によれば，本件商標の通常使用権者であるアットフィールドは，要証期間内に，本件審判の請求に係る指定商品中「香料類」に含まれる商品「スティックを挿して香りを拡散させる芳香剤」について本件商標を使用して広告したということができる。
３　請求人の主張について
　請求人は，「被請求人の提出に係る証拠において，『ＬＵＮＡ　ＳＥＡ』の表示は，著名なロックバンド『ＬＵＮＡ　ＳＥＡ』の２５周年記念ライブツアーであること，ないしは同ツアーに関連して販売されるオフィシャルグッズであることを示すものであり，個々の商品の出所表示標識となることを意図して用いられていない。また，『ブラックリードディフューザー』その他の商品の需要者は，ロックバンド『ＬＵＮＡ　ＳＥＡ』のライブツアーに参加し，あるいはこれに興味を持つファン層にほぼ限定されると考えられることからも，需要者にとっても『ＬＵＮＡ　ＳＥＡ』の表示が商品の出所表示標識として認識されることはなく，むしろ，『ブラックリードディフューザー』が当該商品の商標として機能しているものと認められる。したがって，本件商標を，商品『ブラックリードディフューザー』について商標として使用しているとはいえない。」旨主張する。
　しかしながら，当該ライブツアーパンフレットの後ろから３頁目には，各種オフィシャルグッズが一覧で掲載され，本件商標がその最上段に顕著に表示されていること，及び，商品「ブラックリードディフューザー」は，「フェイスタオル」や「パスケース」等，商品の名称を表す一般的な表示と並んで記載されていることから，上記広告に接する者は，「ＬＵＮＡ　ＳＥＡ」に係る各種商品の広告であると認識するとみるのが相当である。 
　したがって，請求人の上記主張は採用できない。
４　まとめ
　以上のとおりであるから，被請求人は，要証期間内に日本国内において，通常使用権者が本件審判請求に係る指定商品「香料類」に含まれる商品「スティックを挿して香りを拡散させる芳香剤」に，本件商標の使用をした事実を証明したものと認めることができる。
　したがって，本件商標の登録は，商標法第５０条の規定により，取り消すことができない。
　よって，結論のとおり審決する。